【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
齧歯動物を捕獲する生け捕り罠であって、前記生け捕り罠は、内部空間と、少なくとも一つの開口部とを有するハウジングであって、前記少なくとも一つの開口部を通って齧歯動物が前記ハウジングの前記内部空間に入る前記ハウジングと、前記生け捕り罠内で齧歯動物を捕獲するため、前記生け捕り罠内に配置可能である第１の罠機構と、前記第１の罠機構と異なり、前記生け捕り罠内で齧歯動物を捕獲するため、前記生け捕り罠内に配置可能である第２の罠機構とを備え、前記生け捕り罠及び罠機構は、前記第１及び第２の罠機構を前記生け捕り罠内で交換可能に使用することを可能にするため、前記第１及び第２のそれぞれの罠機構を各々前記生け捕り罠内に選択的に解放可能に固定されるように構成されている生け捕り罠。
【請求項２】
請求項１に記載の生け捕り罠において、前記第１の罠機構は、漏斗罠機構、揺動ゲート機構及びランプ機構の一つを備え、前記第２の罠機構は、前記漏斗罠機構、前記揺動ゲート機構及び前記ランプ機構の異なる一つを備える生け捕り罠。
【請求項３】
請求項１に記載の生け捕り罠において、前記生け捕り罠は、アクセス開口部と、前記アクセス開口部が閉じられた閉鎖位置、及び、開放位置の間で配置可能であるアクセスパネルとを更に有し、前記第１及び第２の罠機構は、前記アクセスパネルの前記開放位置において、前記アクセス開口部を介して前記生け捕り罠内に挿入可能であり、前記生け捕り罠から取り外し可能である生け捕り罠。
【請求項４】
齧歯動物を捕獲する生け捕り罠であって、前記生け捕り罠は、
内部空間と、前記内部空間を少なくとも部分的に画成する内側表面を有する底部と、少なくとも一つの進入開口部とを有するハウジングであって、前記少なくとも一つの進入開口部を通って齧歯動物が前記ハウジングの前記内部空間に入る前記ハウジングと、
前記ハウジングに入った齧歯動物が前記ハウジングから抜け出ないようにするため、前記ハウジングの前記内部空間内に配置された少なくとも一つの罠機構と、
前記ハウジングの前記内部空間内に配置されたブリッジ組立体とを備え、前記ブリッジ組立体は、前記ハウジングの前記底部の前記内側表面より上で離間され、前記ハウジングの前記底部の前記内側表面より上で前記少なくとも一つの罠機構を支持するように構成されたプラットホームを含み、齧歯動物が前記罠機構から抜け出して、前記ブリッジ組立体及び前記少なくとも一つの罠機構の一つから前記ハウジングの前記底部の前記内側表面に降りることを可能にするように、前記ブリッジ組立体は、前記ハウジングの前記底部の全部未満の内側表面より上に延在する生け捕り罠。
【請求項５】
請求項４に記載の生け捕り罠において、少なくとも、齧歯動物が前記罠機構から抜け出る場所で、前記ブリッジ組立体は、前記ハウジングの前記底部の前記内側表面より上に、約1〜約8cmの範囲内の距離離間されている生け捕り罠。
【請求項６】
請求項４に記載の生け捕り罠において、前記ブリッジ組立体の少なくとも一部分は、前記ハウジングの前記内部空間内で前記ハウジングと解放可能に固定されるように構成されている生け捕り罠。
【請求項７】
請求項４に記載の生け捕り罠において、前記ブリッジ組立体は、第１ブリッジ組立体を備え、前記第１ブリッジ組立体は、前記ハウジングの前記内部空間内で解放可能に配置可能であり、前記生け捕り罠は、前記第１ブリッジ組立体と異なる構成を有し、前記ハウジングの前記内部空間内で第１ブリッジ組立体と交換可能である第２ブリッジ組立体を更に備える生け捕り罠。
【請求項８】
請求項４に記載の生け捕り罠において、前記ハウジングは、基部及び蓋を含み、前記基部及び蓋が相まって、前記ハウジングの前記内部空間を少なくとも部分的に画成し、前記蓋は、前記内部空間がほぼ囲まれた閉鎖構成と、サービス提供のため、前記内部空間がアクセス可能である開放構成との間で前記基部に対して配置可能であり、前記基部は、前記ハウジングの前記底部を画成する底部パネルと、前記底部パネルから上へ延在する直立壁とを備え、前記ブリッジ組立体は前記直立壁に対接する生け捕り罠。
【請求項９】
齧歯動物を捕獲する生け捕り罠であって、前記生け捕り罠は、ハウジング及び少なくとも一つの罠機構を備え、
前記ハウジングは、内部空間と、前記内部空間を少なくとも部分的に画成する内側表面を有する底部パネルと、前記底部パネルから上へ延在する少なくとも一つの直立壁と、齧歯動物が前記ハウジングの前記内部空間に入る少なくとも一つの進入開口部と、前記少なくとも一つの進入開口部から分離し、前記底部パネル及び前記少なくとも一つの直立壁の少なくとも一つに配置された少なくとも一つの検査部材とを有し、前記少なくとも一つの検査部材は、前記ハウジングの前記内部空間を見ることを可能にするように構成され、
前記少なくとも一つの罠機構は、前記ハウジングに入った齧歯動物が前記ハウジングから抜け出ないようにするため、前記ハウジングの前記内部空間内に配置されている生け捕り罠。
【請求項１０】
請求項９に記載の生け捕り罠において、前記少なくとも一つの検査部材は、透明及び半透明の一つである、前記底部パネル及び前記直立壁の少なくとも一つの一部分を備える生け捕り罠。
【請求項１１】
請求項９に記載の生け捕り罠において、前記少なくとも一つの検査部材は、前記底部パネル及び前記直立壁の少なくとも一つに配置された複数の開口部を備える生け捕り罠。
【請求項１２】
齧歯動物を捕獲する生け捕り罠であって、前記生け捕り罠は、
内部空間を有するハウジングであって、前記ハウジングが、前記ハウジングの前記内部空間を少なくとも部分的に画成する内側表面を含む底部パネルと、齧歯動物が前記生け捕り罠に入る少なくとも一つの進入開口部とを有し、前記底部パネルが、アクセス開口部と、前記生け捕り罠の使用のための閉鎖位置、及び、前記生け捕り罠のサービス提供のための開放位置の間で配置可能であるアクセスパネルとを含む前記ハウジングと、
齧歯動物を前記生け捕り罠内で捕獲するため、前記生け捕り罠内に解放可能に配置可能である罠機構とを備え、前記アクセスパネルの前記開放位置において前記罠機構へのアクセスを可能にするため、前記罠機構は、前記アクセス開口部に充分近接して前記ハウジングの前記内部空間内に配置されている生け捕り罠。
【請求項１３】
請求項１２に記載の生け捕り罠において、前記生け捕り罠及び罠機構は、前記罠機構を前記ハウジングの前記内部空間内に解放可能に固定されるように構成され、前記アクセス開口部は、前記アクセスパネルの前記開放位置において前記罠機構が前記アクセス開口部を通過することができるように寸法設定されている生け捕り罠。
【請求項１４】
齧歯動物を捕獲する生け捕り罠であって、前記生け捕り罠は、
内部空間を有するハウジングであって、前記ハウジングが、上部と、前記ハウジングの前記内部空間を少なくとも部分的に画成する内側表面を含む底部パネルと、齧歯動物が前記生け捕り罠に入る少なくとも一つの進入開口部とを有し、前記ハウジングは、齧歯動物が前記生け捕り罠内で捕獲される罠部分と、前記罠部分と開放的に連通し、前記罠部分から外方へ延在する入口部分とを備え、前記ハウジングの前記進入開口部が前記ハウジングの前記入口部分にある前記ハウジングと、
前記生け捕り罠の前記進入開口部と離間する関係で、前記ハウジングの前記入口部分内に少なくとも部分的に配置された罠機構とを備え、前記生け捕り罠内で捕獲された齧歯動物が、前記罠から逃れるために前記罠機構を操作しないようにするため、前記ハウジングは、前記入口部分において前記ハウジングの前記上部から垂下し、前記入口部分に沿って、長手方向に互いに離間する関係に配置された複数の遮断部材を更に備える生け捕り罠。
【請求項１５】
請求項１４に記載の生け捕り罠において、前記罠機構は、漏斗罠機構、揺動ゲート罠機構及びランプ罠機構の一つを備える生け捕り罠。